(57)【要約】【課題】設置条件を問わず多数の誘導灯の容易且つ的確な点検を行うことができる誘導灯を提供する。【解決手段】誘導用のランプと、非常用電源と、平常時には商用電源から電力を供給してランプを点灯させ、商用電源からの電力供給が断たれた場合には非常用電源から電力を供給してランプを点灯させる制御回路６と、無線によるデータの送受信を行うための受光ユニット２１、ＬＥＤ２７とを備え、制御回路は、受光ユニットが所定の点検指令データを受信した場合、所定の点検項目を含む機器状態データを、自らの識別コードと共にＬＥＤ２７より送信する。【選択図】図２
2005259445.tif 000002
【特許請求の範囲】
【請求項１】
誘導用のランプと、非常用電源と、平常時には商用電源から電力を供給して前記ランプを点灯させ、前記商用電源からの電力供給が断たれた場合には前記非常用電源から電力を供給して前記ランプを点灯させる誘導灯制御手段と、無線によるデータの送受信を行うための誘導灯側送受信手段とを備え、
該誘導灯制御手段は、前記誘導灯側送受信手段が所定の点検指令データを受信した場合、所定の点検項目を含む機器状態データを、自らの識別コードと共に前記誘導灯側送受信手段より送信することを特徴とする誘導灯。
【請求項２】
無線によるデータの送受信を行うためのリモコン側送受信手段と、表示手段と、リモコン制御手段とを備え、
該リモコン制御手段は、所定の操作に基づき前記リモコン側送受信手段より前記点検指令データを送信すると共に、前記リモコン側送受信手段が前記識別コードと共に前記機器状態データを受信した場合、当該データを保持すると共に、前記表示手段に表示することを特徴とする請求項１の誘導灯用リモコン。
【請求項３】
誘導用のランプと、非常用電源と、平常時には商用電源から電力を供給して前記ランプを点灯させ、前記商用電源からの電力供給が断たれた場合には前記非常用電源から電力を供給して前記ランプを点灯させる誘導灯制御手段と、無線によるデータの送受信を行うための誘導灯側送受信手段とを備えた誘導灯と、
無線によるデータの送受信を行うためのリモコン側送受信手段と、表示手段と、リモコン制御手段とを備えたリモコンとから構築され、
該リモコン制御手段は、所定の操作に基づき前記リモコン側送受信手段より前記誘導灯に所定の点検指令データを送信すると共に、前記誘導灯制御手段は、前記誘導灯側送受信手段が前記リモコンからの点検指令データを受信した場合、所定の点検項目を含む機器状態データを、自らの識別コードと共に前記誘導灯側送受信手段より前記リモコンに送信し、前記リモコン制御手段は、前記リモコン側送受信手段が前記誘導灯から前記識別コードと共に前記機器状態データを受信した場合、当該データを保持すると共に、前記表示手段に表示することを特徴とする誘導灯システム。
【請求項４】
前記リモコンは、半導体メモリカードと該半導体メモリカードが着脱自在に挿入されるスロットとを備え、
前記リモコン制御手段は、前記機器状態データをそれに対応する前記識別コードと共に前記半導体メモリカードに記録することを特徴とする請求項２又は請求項３の誘導灯用リモコン又は誘導灯システム。
【請求項５】
前記機器状態データには、前記ランプ及び非常用電源の状態、若しくは、累積使用期間に関するデータも含むことを特徴とする請求項１、請求項２、請求項３又は請求項４の誘導灯又は誘導灯用リモコン又は誘導灯システム。
【請求項６】
前記送受信手段のデータの送受信には赤外線を用いることを特徴とする請求項１、請求項２、請求項３、請求項４又は請求項５の誘導灯又は誘導灯用リモコン又は誘導灯システム。
【発明の詳細な説明】
【技術分野】
【０００１】
本発明は、例えば、ビルの通路や室内に配置されて火災などの非常時にビル内の人間を非常口に誘導するための誘導灯及び当該誘導灯用のリモコン及びそれらで構築される誘導灯システムに関するものである。
【背景技術】
【０００２】
従来より誘導灯を点検する際には、ビルなどに設置された複数の誘導灯それぞれに手動式のスイッチを設けておき、このスイッチを操作（押す、或いは、引く）することで作為的に電源遮断を行って誘導用のランプを点灯させ、このときの点灯結果で当該誘導灯の動作確認を行っていた（例えば、特許文献１参照）。
【特許文献１】特開平８−１８５９８７号公報
【発明の開示】
【発明が解決しようとする課題】
【０００３】
しかしながら、係る誘導灯の点検方法では、設置場所が高所であるときなど、設置条件によっては点検作業が極めて困難となる場合があった。
【０００４】
本発明は、係る従来の技術的課題を解決するために成されたものであり、設置条件を問わず多数の誘導灯の容易且つ的確な点検を行うことができる誘導灯、誘導灯用リモコン及び誘導灯システムを提供するものである。
【課題を解決するための手段】
【０００５】
請求項１の発明の誘導灯は、誘導用のランプと、非常用電源と、平常時には商用電源から電力を供給してランプを点灯させ、商用電源からの電力供給が断たれた場合には非常用電源から電力を供給してランプを点灯させる誘導灯制御手段と、無線によるデータの送受信を行うための誘導灯側送受信手段とを備え、この誘導灯制御手段は、誘導灯側送受信手段が所定の点検指令データを受信した場合、所定の点検項目を含む機器状態データを、自らの識別コードと共に誘導灯側送受信手段より送信することを特徴とする。
【０００６】
請求項２の発明の上記誘導灯用リモコンは、無線によるデータの送受信を行うためのリモコン側送受信手段と、表示手段と、リモコン制御手段とを備え、このリモコン制御手段は、所定の操作に基づきリモコン側送受信手段より点検指令データを送信すると共に、リモコン側送受信手段が識別コードと共に機器状態データを受信した場合、当該データを保持すると共に、表示手段に表示することを特徴とする。
【０００７】
請求項３の発明の誘導灯システムは、誘導用のランプと、非常用電源と、平常時には商用電源から電力を供給してランプを点灯させ、商用電源からの電力供給が断たれた場合には非常用電源から電力を供給してランプを点灯させる誘導灯制御手段と、無線によるデータの送受信を行うための誘導灯側送受信手段とを備えた誘導灯と、無線によるデータの送受信を行うためのリモコン側送受信手段と、表示手段と、リモコン制御手段とを備えたリモコンとから構築され、このリモコン制御手段は、所定の操作に基づきリモコン側送受信手段より誘導灯に所定の点検指令データを送信すると共に、誘導灯制御手段は、誘導灯側送受信手段がリモコンからの点検指令データを受信した場合、所定の点検項目を含む機器状態データを、自らの識別コードと共に誘導灯側送受信手段よりリモコンに送信し、リモコン制御手段は、リモコン側送受信手段が誘導灯から識別コードと共に機器状態データを受信した場合、当該データを保持すると共に、表示手段に表示することを特徴とする。
【０００８】
請求項４の発明は上記各発明において、リモコンは半導体メモリカードとこの半導体メモリカードが着脱自在に挿入されるスロットとを備え、リモコン制御手段は、機器状態データをそれに対応する識別コードと共に半導体メモリカードに記録することを特徴とする。
【０００９】
請求項５の発明は上記各発明において、機器状態データには、ランプ及び非常用電源の状態、若しくは、累積使用期間に関するデータも含むことを特徴とする。
【００１０】
請求項６の発明は上記各発明において、送受信手段のデータの送受信には赤外線を用いることを特徴とする。
【発明の効果】
【００１１】
本発明によれば、リモコンを操作することにより、リモコン制御手段がリモコン側送受信手段より誘導灯に無線にて所定の点検指令データを送信すると共に、誘導灯制御手段は、誘導灯側送受信手段がリモコンからの点検指令データを受信した場合、所定の点検項目を含む機器状態データを、自らの識別コードと共に誘導灯側送受信手段より、無線にてリモコンに送信し、リモコン制御手段は、リモコン側送受信手段が誘導灯から識別コードと共に機器状態データを受信した場合、当該データを保持すると共に、表示手段に表示するので、誘導灯の設置箇所や設置状態を問わず、当該誘導灯の機器状態データを無線によるデータ送受信にてリモコンに収集し、保持・表示することができるようになる。
【００１２】
特に、各誘導灯は自らの識別コードと共に機器状態データをリモコンに送信するので、一台のリモコンによって複数の誘導灯をそれぞれ点検し、それらの機器状態データを区別して保持・表示することができるようになる。これにより、通常複数設置される誘導灯の点検作業性を著しく改善しながら、的確な誘導灯点検を実現することができるようになる。
【００１３】
また、請求項４の発明の如くリモコンに半導体メモリカードとこの半導体メモリカードが着脱自在に挿入されるスロットとを設け、リモコン制御手段が、機器状態データをそれに対応する識別コードと共に半導体メモリカードに記録するようにすれば、この半導体メモリカードを使用して、他のパソコンなどのホストコンピュータにて各誘導灯の機器状態データに読み込んで集中管理することが可能となる。
【００１４】
また、請求項５の発明の如く機器状態データにランプ及び非常用電源の状態、若しくは、累積使用期間に関するデータも含むようにすれば、誘導灯の動作確認に加えて、誘導灯構成部品の交換時期の予測・判断も行えるようになり、計画的且つ効率的な誘導灯の保守・管理を行うことができるようになる。
【００１５】
また、請求項６の発明の如く送受信手段のデータの送受信に赤外線を用いるようにすれば、電波によるデータの送受信に比してノイズによる悪影響を排除した安定的な点検作業を実現できるようになる。
【発明を実施するための最良の形態】
【００１６】
以下、図面に基づき本発明の実施形態を詳述する。図１は本発明の一実施例として誘導灯１と当該誘導灯用のリモコン２とから構築される誘導灯システム３の外観を示す図、図２は誘導灯１とリモコン２間のデータ送受信に関する誘導灯システム３のブロック図、図３は誘導灯１の電気回路のブロック図をそれぞれ示している。各図において、誘導灯１はビルの通路や室内に複数設置されて火災などの非常時における避難誘導を行うためのものである。
【００１７】
この誘導灯１には図３に示すように冷陰極ランプから成るランプ４と、このランプ４を点灯させるための誘導灯制御手段を構成する制御回路６などの電気回路が設けられている。図３において、５は商用電源ＡＣ（ＡＣ１００Ｖ）に接続されたフィルター回路、７はこのフィルター回路５を経た商用電源を整流する整流回路、８はＡＣ／ＤＣ変換回路、９は２次整流回路、１１はインバータ回路であり、このインバータ回路１１に前記ランプ４が接続されている。
【００１８】
ＡＣ／ＤＣ変換回路８の出力は非常用電源である電池を含む充電回路１２に接続され、この充電回路１２には常時充電が行われる。この充電回路１２の出力は切替回路１３を介してインバータ回路１１に接続されている。２次整流回路９及び切替回路１３の出力点はフィルター回路１９を介して制御回路６に接続されている。この制御回路６はマイクロコンピュータ（ＣＰＵ）から構成され、自らに割り当てられた識別コードを保有すると共に、インバータ回路１１のＯＮ／ＯＦＦ、商用電源ＡＣの電圧有無検出、ＤＣ電圧検出、ランプ接続有無検出、ランプ寿命、切替制御、タイマー通信、デューティー制御、電池過放電防止、暗黒始動対応の各機能を実行するものである。
【００１９】
１４はテストスイッチであり、制御回路１６を介してＡＣ／ＤＣ変換回路８の出力に接続されている。この制御回路１６もマイクロコンピュータから構成され、ＰＷＭ制御、ＡＣ切替動作、テストスイッチ１４による制御、過電流保護、過電圧保護の各機能を実行する。尚、１７は消灯回路であり、商用電源ＡＣに接続された消灯スイッチ１８とフィルター回路５の出力間に接続されている。
【００２０】
商用電源ＡＣの電圧がある場合、この商用電源ＡＣが整流された電圧はＡＣ／ＤＣ変換回路８から２次整流回路９を経て充電回路１２に充電される。停電によって商用電源ＡＣが断たれると、制御回路６は充電回路１２に充電された電力を切替回路１３を介してインバータ回路１１に印加する。そして、インバータ回路１１により所定のデューティーにてランプ４に点灯用の電圧を印加し、ランプ４を点灯させて誘導案内を行うものである。
【００２１】
次に、図２において６は前述した誘導灯１の制御回路である。２１は受光ユニットであり、後述するリモコン２のＬＥＤ３９からの赤外線を受光する。この受光ユニット２１の出力がデコーダ２２及び波形整形回路２３を介して制御回路６に入力されている。また、制御回路６にはエンコーダ２４とバッファ２６を介して赤外線を発光するＬＥＤ２７が接続されている。これらが誘導灯１の誘導灯側送受信手段を構成する。尚、２８はランプ４の寿命などを点灯表示するためのランプモニターであり、２９は充電回路１２の異常を点滅表示するための充電モニターである。
【００２２】
一方、３１はリモコン２のリモコン制御手段を構成するマイクロコンピュータ（ＣＰＵ）から成る制御回路であり、保守・点検の対象となる複数台の誘導灯１にそれぞれ割り当てられた前記識別コードを保有すると共に、マイクロコンピュータ３１には液晶からなる表示手段としての表示部３２が接続されている。また、３３は受光ユニットであり、誘導灯１の前記ＬＥＤ２７からの赤外線を受光する。この受光ユニット３３の出力がデコーダ３４及び波形整形回路３６を介して制御回路３１に入力されている。また、制御回路３１にはエンコーダ３７とバッファ３８を介して赤外線を発光するＬＥＤ３９が接続されている。これらがリモコン２のリモコン側送受信手段を構成する。
【００２３】
リモコン２にはまた、半導体メモリカードＭＣが着脱自在に挿入されるスロット（メモリーカード用Ｉ／Ｏ）４１が設けられており、制御回路３１に接続されている。尚、リモコン２は携帯容易な寸法を呈し、図１の如く表示部３２に並んで点検スイッチ４２の他、入力手段を構成する各種スイッチ４３や駆動用のバッテリー（電池など）も取り付けられている。リモコン２では誘導灯１との間のデータの送受信の他、リモコン２において入力する事項、即ち、目視で確認できる誘導灯１の状態などのをこのスイッチ４３と表示部３２を用いて入力できる構成とされている。
【００２４】
以上の構成で、誘導灯１の点検作業について図４を参照しながら説明する。作業者が或る誘導灯１の点検作業を行う場合には、当該誘導灯１の受光ユニット２１に図１の如くリモコン２のＬＥＤ３９を向け、点検スイッチ４２を押す。点検スイッチ４２が押されると、リモコン２の制御回路３１は所定の点検指令データをエンコーダ３７に出力する。エンコーダ３７ではこの点検指令データのエンコードが行われ、エンコードされた信号（点検スイッチＯＮ信号）がバッファ３８を介してＬＥＤ３９に送られる。そして、ＬＥＤ３９が赤外線に載せてこの点検スイッチＯＮ信号を出力する。
【００２５】
リモコン２からの点検スイッチＯＮ信号は前記誘導灯１の受光ユニット２１に受光される。受光された点検スイッチＯＮ信号はデコーダ２２にてデコードされ、波形整形回路２３で波形整形された後、制御回路６に入力される。図４はこの制御回路６の点検動作に関するプログラムのフローチャートを示している。制御回路６は図４のステップＳ１で点検スイッチＯＮ信号があったか否か判断しており、波形整形回路２３から上述の如く点検スイッチＯＮ信号を入力すると、ステップＳ１からステップＳ２に進んで自己点検を開始し、ステップＳ３で自己点検処理を実行する。
【００２６】
このステップＳ３における自己点検処理で、制御回路６は擬似的にテストスイッチ１４が操作された状態を作り、商用電源ＡＣを断って充電回路１２からの放電によりランプ４が点灯するか否かを点検する。また、充電回路１２の電池放電時間が基準時間以上であるか、充電回路１２の電池の基準電圧で基準以上の照度がランプ４で得られるか（ランプ４の状態）などを点検する。そして、これらの自己点検が終了すると、ステップＳ４からステップＳ５に進む。
【００２７】
ステップＳ５で制御回路６は、上記点検結果並びにランプ４の点灯累計時間（累積使用期間）、充電回路１２の電池の状態（非常用電源の状態）に関する機器状態データを生成し、自らの識別コードと共にエンコーダ２４に出力する。尚、この識別コードのデータには自己の製造年月日や固有ナンバーなども付加されている。エンコーダ２４ではこの機器状態データ並びに識別コードのエンコードが行われ、エンコードされた点検結果信号がバッファ２６を介してＬＥＤ２７に送られる。そして、ＬＥＤ２７が赤外線に載せてこの点検結果信号を出力する（リモコン２へ点検結果送信）。
【００２８】
誘導灯１からの点検結果信号はリモコン２の受光ユニット３３に受光される。受光された点検結果信号はデコーダ３４にてデコードされ、波形整形回路３６で波形整形された後、制御回路３１に入力される。リモコン２の制御回路３１は、誘導灯１からの点検結果信号をデコードした機器状態データと識別コードを取り込み、自ら保有する誘導灯１の識別コードと取り込んだ識別コードとを照合することで、当該誘導灯１を認識する。そして、当該識別コードごとに区別して上記データを保持すると共に、表示部３２に表示する。これによって、リモコン２にて誘導灯１の機器状態を確認することができる。
【００２９】
また、リモコン２の表示部３２には消防点検項目を表示させることができ、この点検項目に合わせて受信した機器状態データは表示される。更に、上述の如くスイッチ４３を用いて目視で得られる点検項目も入力する。このような送受信並びにデータの入力を、設置された各誘導灯１に対してそれぞれ実行する。この場合、各誘導灯１からのデータには識別コードが付加されているので、リモコン２は各誘導灯１のデータをこの識別コードで区別して保有することになる。
【００３０】
このようにリモコン２で受信した各誘導灯１のデータ及び入力したデータは所定の操作で前記識別コードと共に半導体メモリカードＭＣに書き込むことができる。この半導体メモリーカードＭＣはスロット４１に着脱自在とされているので、これを抜き出し、別途パソコンやサーバなどで構成されるホストコンピュータに読み込ませて集中管理することになる。
【００３１】
このような構成により、本発明では誘導灯１の設置箇所や設置状態を問わず、当該誘導灯１の機器状態データを無線によるデータ送受信にてリモコン２に収集し、保持・表示することができるようになる。特に、誘導灯１は自らの識別コードと共に機器状態データをリモコン２に送信するので、一台のリモコン２によって複数の誘導灯１をそれぞれ点検し、それらの機器状態データを区別して保持・表示することができるようになる。これにより、通常複数設置される誘導灯１の点検作業性を著しく改善しながら、的確な誘導灯点検を実現することができるようになる。
【００３２】
尚、実施例では赤外線を使用してリモコン２と誘導灯１間のデータ送受信を行ったが、それに限らず、電波で行っても良い。但し、実施例の如く赤外線を用いるようにすれば、電波によるデータの送受信に比してノイズによる悪影響を排除した安定的な点検作業を実現できるようになる。
【００３３】
また、実施例では半導体メモリカードを使用して点検したデータをリモコン２から他のパソコンなどに取り出すようにしたが、それに限らず、ＵＳＢケーブルや無線ＬＡＮを使用することも考えられる。また、リモコン２の制御回路３１には更に誘導灯及び誘導標識点検票を自動作成可能とするシステムソフトを組み込んで表示部３２の表示に基づき、点検票の自動作成を行うようにしてもよい。
【図面の簡単な説明】
【００３４】
【図１】本発明の一実施例として誘導灯と当該誘導灯用のリモコンとから構築される誘導灯システムの外観を示す図である。
【図２】図１の誘導灯とリモコン間のデータ送受信に関する誘導灯システムのブロック図である。
【図３】図１の誘導灯の電気回路のブロック図である。
【図４】図１の誘導灯の制御回路のプログラムを示すフローチャートである。
【符号の説明】
【００３５】
１  誘導灯
２  リモコン
３  誘導灯システム
４  ランプ
６、３１  制御回路
１２  充電回路
２１、３３  受光ユニット
２７、３９  ＬＥＤ
３２  表示部
４１  スロット
ＭＣ  半導体メモリカード
【図１】
2005259445.tif 000003
【図２】
2005259445.tif 000004
【図３】
2005259445.tif 000005
【図４】
2005259445.tif 000006